(57)【特許請求の範囲】
【請求項１】
フレネルレンズシートと光拡散板とを有する透過型スクリーンと、前記透過型スクリーンに映像を投射可能なプロジェクターと、投射光の投射経路における前記プロジェクターと前記透過型スクリーンとの略中間位置に設けられていて前記プロジェクターから投射された画像光を透過型スクリーンに向けて反射させる平面反射鏡とを備える背面投写型ディスプレイ装置であって、
前記平面反射鏡の前記透過型スクリーンに対する設置角度は前記平面反射鏡のプロジェクターから最も離れた部分が前記透過型スクリーンに近づくように５度以上傾斜しており、
前記フレネルレンズシートには、光線透過面となるフレネル面と光線非透過面となるライズ面とを有するレンズパターンが同心円状に形成され、前記レンズパターンの中心であるフレネルレンズの光軸が、前記フレネルレンズシートの外側に配置され、前記光軸に垂直に交わる平面に対する前記フレネル面の傾きの角度が前記光軸から周辺に向かって漸増し、前記フレネルレンズシートは、前記フレネル面の傾きの角度を７７度以上とすることで、背面投写型ディスプレイ装置の奥行き長さを前記フレネル面の傾きの角度に対して二次関数的に変化し凸曲線を形成して低下する領域の短い長さに設定したことを特徴とする背面投写型ディスプレイ装置。
【請求項２】
前記プロジェクターは、前記透過型スクリーンに対して映像が斜めに投射されるように配置されている請求項１に記載の背面投写型ディスプレイ装置。
【請求項３】
前記光拡散板は、すりガラス、フィラーもしくは光拡散粒子等を含有する拡散板、複数の凸シリンドリカルレンズが所定の一方向に向けて配列されているレンチキュラーシート、複数の凸シリンドリカルレンズが所定の二方向に向けて交差するように同一面上に配列されているクロスレンチキュラーシート、プリズムアレイを有するレンズシート、単位レンズが２次元的に配列されたマイクロレンズ構造を持つレンズシートのいずれかである請求項１に記載の背面投写型ディスプレイ装置。
【請求項４】
前記フレネルレンズの入射面側および／または出射面側に低屈折率層が設けられている請求項１に記載の背面投写型ディスプレイ装置。
【請求項５】
前記フレネルレンズシートの少なくとも入射面側に帯電防止層が設けられている請求項１に記載の背面投写型ディスプレイ装置。
【請求項６】
前記フレネルレンズシートは、硬さおよび脆さの異なる材料が２層以上積層されている請求項１に記載の背面投写型ディスプレイ装置。
【発明の詳細な説明】
【技術分野】
【０００１】
本発明は、フレネルレンズシート及び透過型スクリーンを用いた背面投写型ディスプレイ装置に関する。
本願は、２００３年１０月１４日に出願された特願２００３−３５３２７２号について優先権を主張し、その内容をここに援用する。
【背景技術】
【０００２】  従来からプロジェクションスクリーンの１つとして、リアプロジェクションスクリーンが、一般的に用いられている。このリアプロジェクションスクリーンを用いたテレビは、通常、光源、映像表示体、投影レンズを具備したプロジェクターから投影される映像光が、フレネルレンズを有するフレネルレンズシート、レンチキュラーレンズを有するレンチキュラーレンズシートを介して、観察者に到達するように構成されている。【０００３】  プロジェクションテレビ用スクリーンは、一般的に、水平方向に広く拡散し、垂直方向へは、水平方向より狭く拡散するような光学機能を求められているので、水平方向の拡散は、レンチキュラーレンズが、垂直方向の拡散は、光拡散剤が分散された光拡散板や光拡散シートが用いられることが多い。【０００４】  リアプロジェクションテレビに代表される背面投射型ディスプレイ装置では、プロジェクターにＣＲＴ（陰極線管）や液晶プロジェクターが多く使用されており、さらに最近ではプロジェクター用にデジタルミラーデバイス（ＤＭＤ）等の多くの新デバイスが開発されている。【０００５】  特に、この液晶やＤＭＤを利用したプロジェクターは、ＣＲＴを利用した３投写系（３管式）と比べて１つの投写系で済むため、装置内の配置スペースが小さく、また重量も小さく、さらに光学系がシンプルになるため、高精細画像化にも有利であり、広く使われるようになってきている。【０００６】  近年の背面投射型ディスプレイ装置は、大画面化とともに高精細な画像や、広い範囲で同色度の明るい画像が観察可能な光拡散性スクリーンの要望も多く、またそれらを備えた装置の薄型化も求められている。【０００７】  特に、従来から背面投射型ディスプレイ装置に使用されるフレネルレンズシートの特性によりスクリーンとプロジェクター間の距離が決まるため、背面投射型ディスプレイ装置の奥行は現行の他の方式、例えば液晶ディスプレイテレビやプラズマディスプレイテレビに比べて大きく、一層の薄型化の要求が増してきている。【０００８】  従来、背面投射型ディスプレイ装置で薄型化を試みた手法を幾つか以下に示す。
フレネルレンズが形成されたフレネルレンズシートの裏面に、プリズム構造を設け、その反射光を通常よりも間隔を狭めて設置した主ミラーで反射させて、再度フレネルレンズへ光線を入射させ、観察者側へ光線を導く方式により、背面投射型ディスプレイ装置全体を薄くする方式である（例えば、下記の特許文献１、２参照）。【０００９】  この方式は、光の偏光や全反射を巧みに利用することで光利用効率を維持することが可能となるが、構成するスクリーンが増えてしまうため、迷光が発生しやすく、また、コスト面からも不利である。
また、投射光学系とミラーの間に平面／球面／非球面のミラーを配置し、投射距離を短くする方式は公知であるが、背面投射型ディスプレイ装置を構成する部品が増え、かつ要求される組立精度が指数関数的に増えるという難しさを併せ持っている（例えば、下記の特許文献３、４参照）。【００１０】  また、フレネルレンズを複数（リニアタイプを含む）組み合わせたり、フレネルレンズの周辺部を矩形に切り出してスクリーンとすることによって、画面中心から光軸をずらす方式があるが、スクリーンの構成枚数が多くなったり（例えば、下記の特許文献５参照）、大口径比（小Ｆ／Ｎｏ．）のフレネルレンズが必要となる（例えば、下記の特許文献６参照）ため、実用には不便である。【００１１】  全反射構造を持つフレネルレンズを用いる事も提案されている（例えば、下記の特許文献７、８、９、１０参照）。
これらの方法では、表面の物理的形状が複雑になるばかりでなく、反射を使うことから角度公差が厳しくなることもあり、加工性・生産性が悪く、従来のフレネルレンズと同等の生産性を得るには困難を伴うことが明らかとなった。
【特許文献１】特開平８−３３６０９１号公報
【特許文献２】特開平８−３３９０３３号公報
【特許文献３】特開２００２−５７９６３号公報
【特許文献４】特開平９−２８１９０４号公報
【特許文献５】特開平１１−１６０７９０号公報
【特許文献６】特開２００１−１０８９３７公報
【特許文献７】特開２００１−３３７２０６号公報
【特許文献８】特開２００２−９０８８８号公報
【特許文献９】特開２００３−１１４４８１号公報
【特許文献１０】特開２００３−１４９７４４号公報
【発明の開示】
【発明が解決しようとする課題】
【００１２】  現在の背面投射型ディスプレイ装置は、光学的性能を含めた装置としての性能向上と同時に、複雑な構造や仕組みを追加するのではなく、でき得る限り単純な構造で薄型化と高性能化、ひいては低コスト化の実現を求められてきており、上記のように、特に薄型化が遅れている。【００１３】  この背面投射型ディスプレイ装置の薄型化を阻んでいる大きな要因の一つに、スクリーンを構成するフレネルレンズに対する投射距離を小さくできない問題がある。【００１４】  フレネルレンズの製法では、金型を製作して、その型取りによってレンズを製造するが、その金型の製作に用いる切削用バイトの形状、切削条件などの制約によるところが大きい。結果的には、光線の屈折に用いるフレネル面の傾斜角度（フレネル角）が、スクリーン面に対して略６０°程度と言うのがこれまでの限界であった。【００１５】  ここに本発明者は着目し、投射距離を短くするには、この角度を大きくすることが効果的であることを見出した。【００１６】  もう一つの要因としては、背面投射型ディスプレイ装置の構造上、プロジェクターからの投射光をスクリーンに反射し投映させるために必要不可欠な主ミラーの配置がある。特に、プロジェクターの位置にもよるが、この主ミラーに傾角を付ける必要があり、最大４５度程度となることから、その傾けるための空間がそのまま背面投射型ディスプレイ装置の厚みの増加となってしまうためである。【００１７】
そこで、本発明では、上記の課題を解決すべく、背面投射型ディスプレイ装置の薄型化を妨げる要因となっている、フレネルレンズシートとプロジェクター間の距離を短縮できるフレネルレンズの形状、およびフレネルレンズシートのオフセンターを単体での実現、さらにはプロジェクターから投影された画像光のフレネルレンズや光拡散板の反射によるプロジェクター近傍への戻り光から生じる透過型スクリーン上の迷光の解消が可能なフレネルレンズ及び透過型スクリーンを用いた背面投写型ディスプレイ装置を提供することを目的とする。
【課題を解決するための手段】
【００１８】  本発明者は、金型の作成方法と、レンズ成型方法の両面から見直し、大フレネル角を持つフレネルレンズシートを得た。【００２８】
本発明の背面投写型ディスプレイ装置は、フレネルレンズシートと光拡散板とを有する透過型スクリーンと、前記透過型スクリーンに映像を投射可能なプロジェクターと、投射光の投射経路における前記プロジェクターと前記透過型スクリーンとの略中間位置に設けられていて前記プロジェクターから投射された画像光を透過型スクリーンに向けて反射させる平面反射鏡とを備える背面投写型ディスプレイ装置であって、
前記平面反射鏡の前記透過型スクリーンに対する設置角度は前記平面反射鏡のプロジェクターから最も離れた部分が前記透過型スクリーンに近づくように５度以上傾斜しており、
前記フレネルレンズシートには、光線透過面となるフレネル面と光線非透過面となるライズ面とを有するレンズパターンが同心円状に形成され、前記レンズパターンの中心であるフレネルレンズの光軸が、前記フレネルレンズシートの外側に配置され、前記光軸に垂直に交わる平面に対する前記フレネル面の傾きの角度が前記光軸から周辺に向かって漸増し、前記フレネルレンズシートは、前記フレネル面の傾きの角度を７７度以上とすることで、背面投写型ディスプレイ装置の奥行き長さを前記フレネル面の傾きの角度に対して二次関数的に変化し凸曲線を形成して低下する領域の短い長さに設定したことを特徴とする。
【００３０】  本発明の背面投写型ディスプレイ装置においては、前記プロジェクターが、前記透過型スクリーンに対して映像が斜めに投射されるように配置されることが望ましい。【００３１】  本発明の背面投写型ディスプレイ装置においては、前記光拡散板が、すりガラス、フィラーもしくは光拡散粒子等を含有する拡散板、複数の凸シリンドリカルレンズが所定の一方向に向けて配列されているレンチキュラーシート、複数の凸シリンドリカルレンズが所定の二方向に向けて交差するように同一面上に配列されているクロスレンチキュラーシート、プリズムアレイを有するレンズシート、単位レンズが２次元的に配列されたマイクロレンズ構造を持つレンズシートのいずれかであることが望ましい。【００３３】  本発明の背面投写型ディスプレイ装置においては、前記フレネルレンズの入射面側および／または出射面側に、低屈折率層が設けられることが望ましい。【００３４】  本発明の背面投写型ディスプレイ装置においては、前記フレネルレンズシートの少なくとも入射面側に、帯電防止層が設けられることが望ましい。【００３５】  本発明の背面投写型ディスプレイ装置においては、前記フレネルレンズシートが、硬さおよび脆さの異なる材料を２層以上積層されて構成されることが望ましい。
【発明の効果】
【００３６】
本発明の構成によれば、同心円状に形成されてなるフレネルレンズパターンの中心であ
るフレネルレンズの光軸がフレネルレンズシートの外側に位置することと、フレネルレンズの光軸に垂直に交わる平面に対するフレネル面の傾きの角度が、フレネルレンズの光軸から周辺に向かって漸増し、フレネルレンズシートは、フレネル面の傾きの角度が７７度以上であることにより、フレネルレンズシートとプロジェクター間の投射距離、すなわち主ミラーである平面反射鏡との距離が短縮され、またプロジェクターの配置に背面投写型ディスプレイ装置のスクリーン下部の空間を利用することが可能であり、さらにレンズ成型により同心円状に形成される円形のフレネルレンズシート原板から切り出される矩形のフレネルレンズシートの２面取りが可能となるという利点を有する。
【００３７】
また、プロジェクターと透過型スクリーンとの間の略中間位置に設けられた平面反射鏡の設置角度を透過型スクリーンに対して５度以上傾けることにより、スクリーンへの投射映像のプロジェクター近傍への戻り光によるスクリーン上の迷光の発生を防止することができ、部品や工数を追加すること無く、また、薄型化の利点を損なうことなく高品質な投射画像を表示することが可能な背面投写型ディスプレイ装置を得ることができる。
【図面の簡単な説明】
【００３８】
【図１】本発明の透過型スクリーンを用いた背面投写型ディスプレイ装置の一構成例を示す構成図である。
【図２】本発明のフレネルレンズシートの一部分の断面を模式的に示した断面図である。
【図３】本発明のフレネルレンズシートのレンズ面の部分拡大断面図である。
【図４】本発明のフレネルレンズシートの概要を示した平面図である。
【図５】本発明の背面投写型ディスプレイ装置の構成図である。
【図６】背面投写型ディスプレイ装置の奥行長さの試算に際して規定したフレネルレンズへの入射光線ならびに出射光線の角度を示す断面図である。
【図７】フレネルレンズシートの屈折率を１．５３としたときの、フレネル角と５０インチ型背面投写型ディスプレイ装置の奥行長さとの関係を示すグラフである。
【図８】フレネルレンズシートの屈折率を１．５５としたときの、フレネル角と５０インチ型背面投写型ディスプレイ装置の奥行長さとの関係を示すグラフである。
【図９】フレネルレンズシートの屈折率を１．５３としたときの、フレネル角と６０インチ型背面投写型ディスプレイ装置の奥行長さとの関係を示すグラフである。
【図１０】フレネルレンズシートの屈折率を１．５５としたときの、フレネル角と６０インチ型背面投写型ディスプレイ装置の奥行長さとの関係を示すグラフである。
【図１１】フレネルレンズシートの屈折率を１．５３としたときの、フレネル角と７０インチ型背面投写型ディスプレイ装置の奥行長さとの関係を示すグラフである。
【図１２】フレネルレンズシートの屈折率を１．５５としたときの、フレネル角と７０インチ型背面投写型ディスプレイ装置の奥行長さとの関係を示すグラフである。
【符号の説明】
【００３９】１，１１                透過型スクリーン
２，１２                フレネルレンズシート
２ａ                    ガラス基板
２ｂ                    フレネルレンズ
３、１３                光拡散板
４、１４                平面反射鏡
５、５’、１５、１５’  プロジェクター
６、１６                フレネル角
７                      フレネルレンズの同心円構造の中心
【発明を実施するための最良の形態】
【００４０】  以下、図面を参照しつつ、本発明の好適な実施の形態について説明する。
［第１の実施形態］
図１に、本発明の透過型スクリーン１を用いた背面投写型ディスプレイ装置１０の一構成例を示す。背面投写型ディスプレイ装置１０は、主に光学系がフレネルレンズシート２と光拡散板３とからなる透過型スクリーン１と、透過型スクリーン１に映像を投射するプロジェクター５と、透過型スクリーン１とプロジェクター５との略中間位置に配置されている平面反射鏡４により構成されており、プロジェクター５から投影された画像光を、平面反射鏡４（主ミラー）にて透過型スクリーン１に向けて反射させ、透過型スクリーン上に投射し、対面に位置する観察者が映像を見ることができる。【００４１】  プロジェクター５は、透過型スクリーン１に対して映像が斜めに投射されるように配置されている。プロジェクター５をこのように配置すると、透過型スクリーン１には映像が台形に変形して投影されるが、プロジェクター５には、映像が台形に変形しないように、補正機能が与えられている。
なお、図中点線で表したプロジェクター５’および光線は、平面反射鏡４を設置しないで、直接透過型スクリーン１に映像を投射する場合の配置例を示したものである。【００４２】  次に、この透過型スクリーン１を構成するフレネルレンズシート２について説明する。
図２はフレネルレンズシート２の一部分の断面を模式的に示した図である。フレネルレンズシート２は、青板やフロート等のガラス基板２ａと、このガラス基板２ａ上に形成された、メタクリルスチレン（ＭＳ）樹脂やポリカーボネイト（ＰＣ）樹脂製のフレネルレンズ２ｂとからなる２層構造を有している。ガラス基板２ａとフレネルレンズ２ｂとは、材質の違いから硬さや脆さが異なっており、フレネルレンズシート２の剛性をガラス基板２ａが担い、スクリーン破損時におけるガラス基板２ａの飛散を防止する役割をフレネルレンズ２ｂが担っている。【００４３】  フレネルレンズ２ｂには、光線透過面となるフレネル面２ｃと、光線非透過面となるライズ面２ｄとが、交互に形成された同心円状のレンズパターンを有している。本発明では、ここに示した同心円状のプリズムに於ける角度（前記光軸に垂直に交わる平面に対する前記フレネル面の角度、すなわちフレネル角）６が、透過型スクリーン１への投射距離を決定するのに重要な要素となっている。【００４４】  従来はフレネルレンズ加工機械の機構上の制約、あるいは歩留まりなどフレネルレンズシートの量産成型上の制約より、フレネル角を大きくすることに限界があり、特に、最大６０度前後としてきたため、リアプロジェクションスクリーンを使用した背面投写型ディスプレイ装置の薄型化に妨げとなってきたことは、知られていなかった。【００４５】  そこで、本発明では、フレネルレンズの加工条件を見直すことにより、フレネル角を大きくしたフレネルレンズ２ｂを製造できることを見出し、さらにそのフレネル角を７７度以上とした場合に透過型スクリーン１に対して非常に浅い角度で投射画像光を入射させることを可能とした。すなわち、フレネルレンズシート２の光軸のオフセット配置による浅い角度による投射画像光がライズ面２ｄに入射することなく、フレネル面２ｃに入射することが可能となり、透過型スクリーン１における高品質な画像を得ることができる。【００４６】  下記の表は、本発明のフレネルレンズシート２におけるフレネルレンズのフレネル角６を示した表である。
輪帯位置はフレネルレンズシート２の光学中心からの半径を百分率で示してしており、その位置でのフレネル角を表している。下記の表では、最外周が８０度に達する形状となっている。
【表１】
0004556872.tif 000002
【００４７】  図３は本発明のフレネルレンズシートのレンズ面の断面図である。右側がフレネルレンズシート中心側であり、左側が外周側である。この図３の右下側から投射画像光が入射し、フレネル面（図中プリズムの左辺の面）における入射光の屈折を経て、図３の上方に光線が射出する。【００４８】  このフレネルレンズシートを用いて光拡散板と合わせ、透過型スクリーンを構成し、各種の透過実験を行ったところ、透過型スクリーン１に対して非常に浅い角度で投射画像光を入射させることが可能であるなど、上記の効果が確認できた。【００４９】  なお、光拡散板３は、すりガラス、フィラー、光拡散微粒子等を透明合成樹脂に混練した拡散板、半円柱状の凸シリンドリカルレンズを所定の一方向に向けて所定のピッチで配列したレンチキュラーシート、同じく半円柱状の凸シリンドリカルレンズを所定の二方向に向けて交差させて両方向ともに所定のピッチで同一面上に配列したクロスレンチキュラーシート、プリズムアレイ、マイクロレンズ構造を持つスクリーンに使用可能な単位レンズ形状であるレンズシートなどであり、透過型スクリーンの用途に応じて、適宜選定することができる。特に、光拡散板３にクロスレンチキュラーシートを採用すると、背面投写型ディスプレイ装置１０の奥行き長さを短くできるとともに、画面の縦方向に視野の拡大を図ることができる。また、マイクロレンズ構造を持つレンズシートを採用すると、背面投写型ディスプレイ装置１０の奥行き長さを短くできることに加えて、全方位的に視野の拡大を図ることができる。【００５０】  レンズシートは、光学用透明樹脂で構成することで、レンズ、あるいはプリズムとして機能する。この光学用透明樹脂には光学生産上、各種成形技術の応用しやすい透明合成樹脂シートが望ましい。【００５１】  透明合成樹脂としてはポリメタクリル酸メチル等のアクリル樹脂、ポリカーボネイト樹脂、アクリル−スチレン共重合体樹脂、スチレン樹脂、ポリ塩化ビニル樹脂等がある。【００５２】  また、光拡散微粒子は球状、特に真球状が好ましく、アクリル系樹脂、ポリウレタン系樹脂、ポリアミド系樹脂等の有機高分子、またはシリカ等の無機化合物を用いることができる。【００５３】  本発明における課題解決のもう一つの要素である、フレネルレンズシート２の同心円状に形成されたフレネルレンズの中心であるフレネルレンズシートの光軸のオフセット配置について説明する。【００５４】  図４に示すように背面投写型ディスプレイ装置１０に使用する透過型スクリーン１上の画像投影領域外にフレネルレンズの光軸（すなわち同心円構造の中心７）を配置することで、フレネル角が０度に近づくことによるフレネルレンズの加工が困難となる同心円構造の中心を画像投射エリアの外側とすることで、透過型スクリーンにその部分を使用しないため、使用しない領域のフレネルレンズ加工の精度は要求されないので、フレネルレンズの加工上のムラを意識する必要がなく、結果として加工が容易となる。【００５５】  また、従来のフレネルレンズシートでは光軸が透過型スクリーンに使用する領域に存在するため、一枚のフレネルレンズシートの原板からの２面取りが不可能であったが、フレネルレンズシートの中心７を含まないフレネルレンズシートに切り出すことで一枚のフレネルレンズシートの原板から矩形のフレネルレンズシートの２面取りが可能となり、フレネルレンズシートの製造効率が向上する。【００５６】  このようにフレネルレンズ同心円構造の中心７をオフセットし、かつ７７度以上のフレネル角のフレネルレンズで構成される透過型スクリーンに対して、平面反射板４を適宜配置することにより、プロジェクターをスクリーンの下部に配置することが可能となり、背面投写型ディスプレイ装置の薄型化にも非常に有効な配置とすることが可能となる。【００５７】  ところで、フレネルレンズシート２には、フレネルレンズ２ｂの入射面側に、低屈折率層を設けてもよい。本実施形態のフレネルレンズシート２では、フレネルレンズ２ｂの入射面側に基板２ａが設けられているので、低屈折率層は基板２ａの入射面に設けられることになる。低屈折率層を設けることにより、意図しない方向への乱反射を防止して透過効率の向上を図ることができる。なお、低屈折率層は、フレネルレンズ２ｂの出射面側に設けてもよいし、入射面側、出射面側の両方に設けてもよい。【００５８】  また、フレネルレンズシート２には、フレネルレンズ２ｂの入射面側に、帯電防止層を設けてもよい。なお、本実施形態のフレネルレンズシート２では、フレネルレンズ２ｂの入射面側に基板２ａが設けられているので、帯電防止層は基板２ａの入射面に設けられることになる。帯電防止層を設けることにより、ディスプレイ装置内部を防塵して映像品質の向上を図ることができる。なお、帯電防止層は、フレネルレンズ２ｂの入射面側、出射面側の両方に設けてもよい。【００５９】  また、本実施形態ではフレネルレンズシート２を、青板やフロート等のガラス基板２ａと、メタクリルスチレン（ＭＳ）樹脂やポリカーボネイト（ＰＣ）樹脂製のフレネルレンズ２ｂの２層構造としたが、硬さおよび脆さの異なる異種材料を３層もしくはそれ以上積層することによってフレネルレンズシートを構成してもよい。【００６０】  さらに、平面反射鏡４に代えて、反射面が平面ではなく非球状の曲面である反射鏡を用いてもよい。このような反射鏡を用いることにより、透過型スクリーン１に対して映像が斜めに投射されるようにプロジェクター５を配置した場合に、プロジェクター５の補正機能を使用しなくても、映像が台形に変形しないように補正することができる。さらには、プロジェクター５の補正機能と非球面の反射鏡とを併用し、プロジェクター５の透過型スクリーン５に対する投射角度を従来以上に浅く（角度を小さく）することができ、これによってディスプレイ装置の薄型化を図ることができる。なお、反射鏡は、非球面かつ対称であってもよいし、非球面かつ非対称であってもよい。【００６１】［第２の実施形態］
図５に、本発明の透過型スクリーン１を用いた背面投写型ディスプレイ装置２０のもう一つの構成例を示す。背面投写型ディスプレイ装置１０は、主に光学系がフレネルレンズシート１２と光拡散板１３とからなる透過型スクリーン１１と、透過型スクリーン１１に映像を投射するプロジェクター１５と、透過型スクリーン１１とプロジェクター１５との略中間位置に配置されている平面反射鏡１４により構成され、平面反射板１４に傾角を設けて設置した場合の概念図を示している。【００６２】  ここで、図中点線で表したプロジェクター１５’および光線は、平面反射鏡１４を設置しないで、直接、透過型スクリーン１１に映像を投射する場合の配置を示したものである。【００６３】  図１において、プロジェクター５の位置を透過型スクリーン１の中心の位置からずらし、プロジェクター５から透過型スクリーン１に対しての垂線が透過型スクリーン１の面外に設置される場合は、プロジェクター５と透過型スクリーン１の位置が干渉しないため、透過型スクリーン１に対して平行に平面反射板４を設置することが多い。これは背面投写型ディスプレイ装置１０の薄型化にも有利であるが、プロジェクター５から画像光を投影した際、フレネルレンズ２や拡散板３の反射などからのプロジェクター５近傍への戻り光により、透過型スクリーン１上に迷光が生じる場合がある。【００６４】  これは拡散板による反射光が主原因であり、従来の光学系の構成では容易に取り除くことは困難であった。そこで、この迷光の影響を受けない為には、平面反射板１４の設置角度１６を透過型スクリーン１１に対し５度以上とすることにより、プロジェクター５の投影距離に応じてプロジェクター５の光軸とフレネルレンズ２の光軸との間隔が広げられる。例えば、スクリーンの対角の長さが５０インチの透過型スクリーン１では、設置角度１６が０度の場合と設置角度１６が５度の場合とを比較すると、１８．７ミリメートルだけ間隔が広がり、同じく７０インチの透過型スクリーン１では、設置角度１６が０度の場合と設置角度１６が５度の場合とを比較すると、３３．３ミリメートルだけ間隔が広がる。このように、プロジェクター５と平面反射板１４との間隔が広げられると、上記の問題点に対する抑止効果が顕著に現れることが判明した。【００６５】  特に前述したフレネルレンズの同心円構造をスクリーン上からずらして、その中心である光軸がスクリーン上の領域になく、かつ７７度以上のフレネル角としたフレネルレンズシートで構成される透過型スクリーン１１に対し、平面反射板１４の設置角度１６を５度以上とすることで、プロジェクター１５から投影された画像光のフレネルレンズ１２や拡散板１３の反射などからのプロジェクター１５近傍への戻り光により、透過型スクリーン１上に迷光が生じるという問題はなく、より高品質の画像が透過型スクリーン１１を通して見ることができる。【００６６】  本発明は、同心円状に形成されてなるフレネルレンズパターンの中心であるフレネルレンズの光軸がフレネルレンズシートの外側に位置することと、フレネルレンズの光軸から周辺に向かって漸増するレンズパターンのフレネル面のフレネル角が光軸に対し７７度以上となる領域を有するとしたことによ��、フレネルレンズシートとプロジェクター間の投射距離、すなわち主ミラーである平面反射鏡との距離を短縮することができ、これにより背面投写型ディスプレイ装置の奥行の薄型化が可能となる。【００６７】  さらにフレネルレンズの光軸がフレネルレンズシートの外側に位置させることで、円形のフレネルレンズシート原板から切り出される矩形のフレネルレンズシートの２面取りが可能となり、生産効率が向上する。【００６８】  また、プロジェクターと透過型スクリーンとの間の略中間位置に設けられた平面反射の設置角度を透過型スクリーンに対して５度以上傾けることにより、スクリーンへの投射映像のプロジェクター近傍への戻り光によるスクリーン上の迷光の発生を防止することができるため、高品質な投射画像を表示することが可能な背面投写型ディスプレイ装置を得ることができる。
【実施例】
【００６９】  本発明にあたって実施された背面投写型ディスプレイ装置１０の奥行長さ（厚さ）の試算について説明する。この試算にあたっては、図６に示すように、フレネル角をφ、フレネルレンズシート２の平坦面の法線（光軸に平行である）と、平坦面に入射する光線とのなす角度をθ１（既知）、フレネルレンズシート２の平坦面の法線と、平坦面から射出する光線とのなす角度をθ２（既知）、フレネルレンズシート２の平坦面の法線と、フレネル面から射出する光線とのなす角度をθ３（既知）、とした。また、フレネルレンズシート２の屈折率をｎ、透過型スクリーン１の縦の長さをｈ、背面投写型ディスプレイ装置１０の奥行き長さをＷとした。【００７０】  また、奥行き長さＷはプロジェクター１５の投影距離の１／２とし、フレネルレンズ２ｂからは光軸に平行な光線が射出するものとし（すなわちθ３＝０）、フレネルレンズシート２の光学中心は、フレネルレンズシート２の下縁から透過型スクリーン１の縦の長さの１０％分はみ出した位置に存在するものとした。【００７１】  上記の前提のもと、以下の計算を実施し、背面投写型ディスプレイ装置１０の奥行き長さＷを算出した。
まず、ｎ、ｈ、φの値を適宜決定し、続いて、下記の数式にそれぞれの値を代入してθ１を算出した。
【数１】
0004556872.tif 000003
【数２】
0004556872.tif 000004
そして、下記の数式にθ１の値を代入してＷを算出した。
【数３】
0004556872.tif 000005
【００７２】  図７には、透過型スクリーン１の対角の長さを５０インチ、フレネルレンズシート２の屈折率ｎを１．５３としたうえで、フレネル角φを変化させて背面投写型ディスプレイ装置１０の奥行き長さＷがどのように変化するかを試算した結果を示す。なお、透過型スクリーン１の縦の長さｈは、透過型スクリーン１の縦横比（既知）に基づいて決定される。また、図８には、同様の試算を、フレネルレンズシート２の屈折率ｎを１．５５としたうえで行った結果を示す。【００７３】  図９には、透過型スクリーン１の対角の長さを６０インチ、フレネルレンズシート２の屈折率ｎを１．５３としたうえで、フレネル角φを変化させて背面投写型ディスプレイ装置１０の奥行き長さＷがどのように変化するかを試算した結果を示す。また、図１０には、同様の試算を、フレネルレンズシート２の屈折率ｎを１．５５としたうえで行った結果を示す。【００７４】  図１１には、透過型スクリーン１の対角の長さを７０インチ、フレネルレンズシート２の屈折率ｎを１．５３としたうえで、フレネル角φを変化させて背面投写型ディスプレイ装置１０の奥行き長さＷがどのように変化するかを試算した結果を示す。また、図１２には、同様の試算を、フレネルレンズシート２の屈折率ｎを１．５５としたうえで行った結果を示す。【００７５】  図７、図８のグラフから解るように、フレネル角φが７７度のとき、５０インチサイズの背面投写型ディスプレイ装置１０の奥行き長さＷは、ｎ＝１．５３では１３５ミリメートル、ｎ＝１．５５では１０６ミリメートルとなる。
図９、図１０のグラフから解るように、フレネル角φが７７度のとき、６０インチサイズの背面投写型ディスプレイ装置１０の奥行き長さＷは、ｎ＝１．５３では１６２ミリメートル、ｎ＝１．５５では１２６ミリメートルとなる。
図１１、図１２のグラフから解るように、フレネル角φが７７度のとき、７０インチサイズの背面投写型ディスプレイ装置１０の奥行き長さＷは、ｎ＝１．５３では１８９ミリメートル、ｎ＝１．５５では１４８ミリメートルとなる。
上記のいずれの場合も、フレネル角φが７７度未満では、奥行き長さＷは一次関数的な変化しか示していないが、フレネル角φが７７度以上になると、奥行き長さＷが二次関数的に変化して極端に短くなることが解る。【００７６】  以上、本発明の好ましい実施形態を説明したが、本発明は上記実施形態に限定されることはない。本発明の趣旨を逸脱しない範囲で、構成の付加、省略、置換、およびその他の変更が可能である。本発明は前述した説明によって限定されることはなく、添付のクレームの範囲によってのみ限定される。
【産業上の利用可能性】
【００７７】  本発明は、光線透過面となるフレネル面と光線非透過面となるライズ面とを有するレンズパターンが同心円状に形成され、前記レンズパターンの中心であるフレネルレンズの光軸が前記フレネルレンズシートの外側に位置するフレネルレンズシートと、光拡散板とを有する透過型スクリーンと；前記透過型スクリーンに映像を投射可能なプロジェクターと；前記プロジェクターと前記透過型スクリーンの間に反射鏡と；を備え、前記反射鏡が、プロジェクターと前記透過型スクリーンとの略中間位置に設置されている背面投写型ディスプレイ装置に関する。【００７８】  本発明の背面投写型ディスプレイ装置によれば、スクリーンへの投射映像のプロジェクター近傍への戻り光によるスクリーン上の迷光の発生を防止することができ、部品や工数の追加すること無く、また、薄型化の利点を損なうことなく高品質な投射画像を表示することが可能な背面投写型ディスプレイ装置を得ることができる。
【図１】
0004556872.tif 000006
【図２】
0004556872.tif 000007
【図３】
0004556872.tif 000008
【図４】
0004556872.tif 000009
【図５】
0004556872.tif 000010
【図６】
0004556872.tif 000011
【図７】
0004556872.tif 000012
【図８】
0004556872.tif 000013
【図９】
0004556872.tif 000014
【図１０】
0004556872.tif 000015
【図１１】
0004556872.tif 000016
【図１２】
0004556872.tif 000017